【手続補正書】
【提出日】平成19年6月4日(2007.6.4)
【手続補正１】
【補正対象書類名】明細書
【補正対象項目名】００２３
【補正方法】変更
【補正の内容】
【００２３】
上述のおよび図１に例示した、ドライブおよびそれらの関連したコンピュータストレージ媒体は、コンピュータ読取り可能な命令、データ構造、プログラムモジュールおよびコンピュータ１１０のための他のデータのストレージを備える。図１において、例えば、ハードディスクドライブ１４１を、オペレーティングシステム１４４、アプリケーションプログラム１４５、他のプログラムモジュール１４６、およびプログラムデータ１４７を格納するものとして図示する。これらのコンポーネントが、オペレーティングシステム１３４、アプリケーションプログラム１３５、他のプログラムモジュール１３６、およびプログラムデータ１３７と同じか、または異なることに留意されたい。オペレーティングシステム１４４、アプリケーションプログラム１４５、他のプログラムモジュール１４６、およびプログラムデータ１４７は、少なくとも、これらが異なるコピーであることを例示するために本明細書では異なる番号が与えられる。ユーザは、コマンドおよび情報をキーボード１６２、および通常、マウス、トラックボールまたはタッチパッドと呼ばれる、ポインティングデバイス１６１などの入力装置を介しコンピュータ１１０に入力することができる。他の入力装置（図示せず）は、マイクロフォン、ジョイスティック、ゲームパッド、衛星アンテナ、スキャナなどを含む。これらおよび他の入力装置を、しばしばシステムバスと結合したユーザ入力インターフェース１６０を介して処理装置１２０に接続するが、パラレルポート、ゲームポートまたはユニバーサルシリアルバス（ＵＳＢ）のような、他のインターフェースおよびバスストラクチャによって接続することができる。モニタ１９１または他の種類の表示装置も、ビデオインターフェース１９０のようなインターフェースを介してシステムバス１２１に接続することもできる。モニタに加え、スピーカ１９７およびプリンタ１９６のような他の周辺機器出力装置も含むことができ、コンピュータに出力周辺機器インターフェース１９５を介し接続することができる。
【手続補正２】
【補正対象書類名】明細書
【補正対象項目名】００２６
【補正方法】変更
【補正の内容】
【００２６】
（Ｂ．例示的なネットワーク化されたコンピューティング環境）
上述したコンピュータ環境１００は、コンピュータネットワークの一部として配置することが可能である。一般に、コンピュータに対する上記の説明は、ネットワーク環境において配置されたサーバコンピュータおよびクライアントコンピュータの両者に適合する。図２は、本発明が適用される例示的なネットワーク環境を、ネットワークを介したクライアントコンピュータと通信しているサーバと共に示す。図２に見られるように、多数のサーバ１０ａ、１０ｂは、通信ネットワーク１４（ＬＡＮ，ＷＡＮ，インターネット、または他のコンピュータネットワークであることがある）を介し、多数のクライアントコンピュータ１１０ａ、１１０ｂ、１１０ｃ、または携帯電話１５、固定電話１６、および携帯情報端末１７のようなコンピューティング装置に相互接続されている。通信ネットワーク１４がインターネットであるネットワーク環境において、例えば、サーバ１０ａ、１０ｂは、クライアントコンピュータ１１０ａ、１１０ｂ、１１０ｃがＨＴＴＰ（ｈｙｐｅｒｔｅｘｔ  ｔｒａｎｓｆｅｒ  ｐｒｏｔｏｃｏｌ）またはＷＡＰ（ｗｉｒｅｌｅｓｓ  ａｐｐｌｉｃａｔｉｏｎ  ｐｒｏｔｏｃｏｌ）のような多数の周知のプロトコルの幾つかを介し接続されたウェブサーバであることが可能である。各クライアントコンピュータ１１０ａ、１１０ｂ、１１０ｃは、サーバ１０ａ、１０ｂへのアクセスを得るためのブラウザ１８０ａを備えることができる。同様に、パーソナルデジタルアシスタント１７は、ブラウザ１８０ｂを備え、および携帯電話１５は、ブラウザ１８０ｃを備え、様々なデータを表示および受信することができる。
【手続補正３】
【補正対象書類名】明細書
【補正対象項目名】００３２
【補正方法】変更
【補正の内容】
【００３２】
図３は、本明細書で説明するシステムおよび方法に従ったマイクロ‐モニタが動作する例示的なデータベース環境のシステム図を示す。図示の例示的なデータベース環境３００は、データストア１を保持するＤＢサーバ１、データストア２を保持するＤＢサーバ２、データストア３を保持するＤＢサーバ３、通信ネットワーク１４、アプリケーション、およびマイクロ‐モニタコンピューティングアプリケーション３１０を実行する管理者クライアントを含む。動作中、アプリケーション３２０用のデータは、ＤＢサーバ１、２、または３の幾つかの間を、通信ネットワーク１４を介してアプリケーション３２０に送信される。アプリケーション３２０が、破線で描かれたコンピュータサーバにあるアプリケーションにより示されるような、多様なコンピューティング環境において動作できることは理解されよう。
【手続補正４】
【補正対象書類名】明細書
【補正対象項目名】００３３
【補正方法】変更
【補正の内容】
【００３３】
管理者クライアント上で動作するマイクロ‐モニタアプリケーション３１０は、通信ネットワーク１４を介してＤＢサーバ１、２、および３と通信し、モニタリング情報を生成する処理のためのモニタリングデータベース動作情報を取得する。データストア１、２、および３を共に保持するＤＢサーバ１、２、および３は、４つ以上の異なるコンピューティング環境を内包する単一のデータベースを形成する。この文脈において、マイクロ‐モニタ３１０は、データストア１、２、および３を含む結果としての分散型データベース（または代わりに考えられる実装として、複製データベース）を監視するために稼動する。データストア１、２、および３と通信するのに加え、マイクロ‐モニタアプリケーション３１０は、データストア１、２、および３が動作するＤＢサーバ１、２、および３上で動作する環境を操作する任意の元となるコンピューティング環境と協働する。
【手続補正５】
【補正対象書類名】明細書
【補正対象項目名】００３８
【補正方法】変更
【補正の内容】
【００３８】
図４Ａは、マイクロ‐モニタが実行されている従来のコンピューティング環境表示領域のスクリーンショットである。図４Ａに示すように、従来のコンピューティング環境表示領域４８５は、例示のため、ワードプロセッシングアプリケーションを含む。フル実行モードにおけるマイクロ‐モニタ４００は、従来のコンピューティング環境表示領域４８５によって提供される、利用可能な全表示領域の一部を除いて含む。マイクロ‐モニタ４００の小さな形状は、モニタリングの重要なタスクを実行している間、関係するユーザ（図示せず）が他のコンピューティングアプリケーションを操作することを可能にする。
【手続補正６】
【補正対象書類名】明細書
【補正対象項目名】００４０
【補正方法】変更
【補正の内容】
【００４０】
図６は、例示的なマイクロ‐モニタを実行、設定、および操作するとき行う処理の流れ図である。図示のように、処理は、ブロック６００において開始し、マイクロ‐モニタのためのカスタマイズ設定が与えられるブロック６０５に進む。カスタマイズ／構成設定は、マイクロ‐モニタの表示領域、およびコントロールの位置を含めることができる。次に処理は、マイクロ‐モニタが、与えられた構成設定に従って構成されるブロック６１０へ進む処理である。次にマイクロ‐モニタは、モニタリングのために要求されたデータを取得するために、ブロック６１５において協働するデータベース環境と通信する。次にデータベース環境に対する変更がマイクロ‐モニタによって受信されたかどうかを判断するためチェックが行われる。ブロック６２５において、変更がなされていたと判断されれば、処理は受信した変更がなされるブロック６３０へ進む。しかし、もしブロック６２５において変更がないと判断されれば、処理はブロック６１５に戻りおよびそこからブロック６２０へ進む。